(57)【要約】【課題】誰でも、手軽に皮膚等の対象物の表面状態を判断することができる表面情報出力装置を提供する。【解決手段】表面情報出力装置は、皮膚等の対象物の表面との間で、所定の間隔をもたせるように配置され、所定の電圧がくわえられたとき、電荷を蓄積する電極部１と、電極部１に蓄積される電荷量を測定する測定部３と、前記電荷量の標準値である基準電荷量を予め記憶する記憶部４と、測定された測定電荷量と、基準電荷量を比較する比較部５と、比較結果に基づいて、前記対象物の表面の電荷量に関する情報を出力する出力部６を有する。【選択図】　　　図１
2004049406.tif 000002
【特許請求の範囲】
【請求項１】
対象物の表面の電荷量に関する情報を出力する表面情報出力装置であって、
前記対象物の表面との間で、所定の間隔をもたせるように配置され、所定の電圧がくわえられたとき、電荷を蓄積する電極と、
前記電極に蓄積される電荷量を測定する測定手段と、
前記電荷量の標準値である基準電荷量を予め記憶する記憶手段と、
前記測定手段により測定された測定電荷量と、前記記憶手段に記憶された基準電荷量を比較する比較手段と、
前記比較手段による比較結果に基づいて、前記対象物の表面の電荷量に関する情報を出力する出力手段を有することを特徴とする表面情報出力装置。
【請求項２】
対象物の表面の電荷量に関する情報を出力する表面情報出力装置であって、
前記対象物の表面との間で、間隔をもたせるように配置され、所定の電圧がかけられたとき、電荷を蓄積する複数の電極と、
各電極に蓄積される電荷量を測定する測定手段と、
前記電荷量の標準値である基準電荷量を予め記憶する記憶手段と、
前記測定手段により測定された各電荷量の分布を特徴づける値を、測定電荷量として算出する算出手段と、
前記算出手段により算出された測定電荷量と、前記記憶手段に記憶された基準電荷量を比較する比較手段と、
前記比較手段による比較結果に基づいて、前記対象物の表面の電荷量に関する情報を出力する出力手段を有することを特徴とする表面情報出力装置。
【請求項３】
前記対象物は、人間の皮膚であり、
前記記憶手段には、前記電極に蓄積される電荷量と、ユーザに推奨する皮膚用の化粧品を特定する情報とが対応づけられたテーブルが記憶され、
前記出力手段は、前記測定電荷量に対応する化粧品を特定する情報を出力することを特徴とする請求項１又は２に記載の表面情報出力装置。
【請求項４】
前記対象物は、人間の皮膚であり、
前記記憶手段には、前記電極に蓄積される電荷量と、化粧品中の保湿成分量とが対応づけられたテーブルが記憶され、
前記出力手段は、前記測定電荷量に対応する保湿成分量を出力することを特徴とする請求項１又は２に記載の表面情報出力装置。
【請求項５】
前記記憶手段は、対象物の表面の電荷量に関する情報である電荷量情報を各対象物と対応づけて記憶し、
前記出力手段は、前記比較手段による比較動作の後、対象物の電荷量情報と、前記記憶手段に記憶された前記対象物に対応する全ての過去の電荷量情報とに基づいて、前記対象物の電荷量情報を時系列で出力することを特徴とする請求項１又は２に記載の表面情報出力装置。
【請求項６】
対象物の表面の凹凸性に関する情報を出力する表面情報出力装置であって、
前記対象物の表面との間で、間隔をもたせるように配置され、所定の電圧がかけられたとき、電荷を蓄積する複数の電極と、
各電極に蓄積される電荷量を、各々、電極位置と対応づけて測定する測定手段と、
前記測定手段により測定された電荷量である各測定電荷量の分布に基づいて、所定の基準値を算出する第１算出手段と、
各測定電荷量と前記所定の基準値との比較結果と、各測定電荷量に対応する電極位置とに基づいて、前記対象物の表面の凹部数を算出する第２算出手段と、
前記対象物の表面の標準の凹部数である基準凹部数を記憶する記憶手段と、
算出された凹部数と、前記基準凹部数とを比較する比較手段と、
前記比較手段による比較結果に基づいて、前記対象物の表面の凹凸性に関する情報を出力する出力手段とを有することを特徴とする表面情報出力装置。
【請求項７】
前記対象物は、人間の皮膚であり、
前記人間の皮膚の表面と複数の電極との間の間隔を保持し、人間の皮膚の表面と接触する間隔保持手段を有し、
前記記憶手段には、前記間隔保持手段と接触する皮膚表面の凹部数と、ユーザに推奨する皮膚用の化粧品を特定する情報とが対応づけられたテーブルが記憶され、
前記出力手段は、前記第２算出手段により算出された凹部数に対応する化粧品を特定する情報を出力することを特徴とする請求項６に記載の表面情報出力装置。
【請求項８】
前記対象物は、人間の皮膚であり、
前記人間の皮膚の表面と複数の電極との間の間隔を保持し、人間の皮膚の表面と接触する間隔保持手段を有し、
前記記憶手段には、前記間隔保持手段と接触する皮膚表面の凹部数と、化粧品中における皮膚のきめ細かさを保つ成分量とが対応づけられたテーブルが記憶され、
前記出力手段は、前記第２算出手段により算出された凹部数に対応する前記成分量
を出力することを特徴とする請求項６に記載の表面情報出力装置。
【請求項９】
前記記憶手段は、前記対象物の表面の凹凸性に関する情報である凹凸情報を各対象物と対応づけて記憶し、
前記出力手段は、前記比較手段による比較動作の後、対象物の凹凸情報と、前記記憶手段に記憶された前記対象物に対応する全ての過去の凹凸情報とに基づいて、前記対象物の凹凸情報を時系列で出力することを特徴とする請求項６に記載の表面情報出力装置。
【発明の詳細な説明】
【０００１】
【発明の属する技術分野】
本発明は、人間の皮膚等の対象物の表面の導電性や凹凸性に関する情報を出力する表面情報出力装置に関する。
【０００２】
【従来の技術】
従来、皮膚の湿潤性（皮膚の水分量、油分量）、皮膚のきめ細かさ（皮膚のしわ数、毛穴数）等の皮膚状態を判断する場合、作業者がＣＣＤカメラや顕微鏡等を用いて、皮膚表面を拡大して観察して、皮膚状態を判断していた。
【０００３】
【発明が解決しようとする課題】
しかしながら、上述した従来技術では、以下の問題があった。即ち、皮膚表面を観察して、皮膚状態を正確に判断するには、専門的な知識や特別な熟練技術を有する。このため、上記専門的な知識や特別な熟練技術を有しない者が自己の皮膚表面を観測し、皮膚状態を誤って判断し、誤った化粧品等を選定し、使用してしまう場合があった。
【０００４】
このため、専門的な知識や特別な熟練技術を必要としないで、誰でも、手軽に皮膚状態を判断することができる装置の開発が望まれていた。また、皮膚状態に限らず、対象物の表面状態を、誰でも、手軽に判断することができれば便利である。
【０００５】
本発明は、以上のような問題点を鑑みてなされたものであり、専門的な知識や特別な熟練技術を必要としないで、誰でも、手軽に皮膚等の対象物の表面状態を判断することができる表面情報出力装置を提供することを目的とする。
【０００６】
【課題を解決するための手段】
上記課題を解決するために、本発明は、対象物の表面の電荷量に関する情報を出力する表面情報出力装置であって、前記対象物の表面との間で、所定の間隔をもたせるように配置され、所定の電圧がくわえられたとき、電荷を蓄積する電極と、前記電極に蓄積される電荷量を測定する測定手段と、前記電荷量の標準値である基準電荷量を予め記憶する記憶手段と、前記測定手段により測定された測定電荷量と、前記記憶手段に記憶された基準電荷量を比較する比較手段と、
前記比較手段による比較結果に基づいて、前記対象物の表面の電荷量に関する情報を出力する出力手段を有することを特徴とするものである。
【０００７】
また、本発明は、対象物の表面の電荷量に関する情報を出力する表面情報出力装置であって、前記対象物の表面との間で、間隔をもたせるように配置され、所定の電圧がかけられたとき、電荷を蓄積する複数の電極と、各電極に蓄積される電荷量を測定する測定手段と、前記電荷量の標準値である基準電荷量を予め記憶する記憶手段と、前記測定手段により測定された各電荷量の分布を特徴づける値を、測定電荷量として算出する算出手段と、前記算出手段により算出された測定電荷量と、前記記憶手段に記憶された基準電荷量を比較する比較手段と、前記比較手段による比較結果に基づいて、前記対象物の表面の電荷量に関する情報を出力する出力手段を有することを特徴とするものである。
【０００８】
本発明によれば、ユーザは、自分の皮膚等の対象物を、例えば、間隔保持手段に置くだけで、皮膚等の対象物の表面の電荷量に関する情報を知ることができる。この結果、専門的な知識や特別な熟練技術を必要としないで、誰でも、手軽に自分の皮膚等の対象物の表面の導電性を判断することが可能となる。
【０００９】
また、本発明は、上記発明において、前記対象物は、人間の皮膚であり、前記記憶手段には、前記電極に蓄積される電荷量と、ユーザに推奨する皮膚用の化粧品を特定する情報とが対応づけられたテーブルが記憶され、前記出力手段は、前記測定電荷量に対応する化粧品を特定する情報を出力することを特徴とするものである。
【００１０】
また、本発明は、上記発明において、前記対象物は、人間の皮膚であり、前記記憶手段には、前記電極に蓄積される電荷量と、化粧品中の保湿成分量とが対応づけられたテーブルが記憶され、前記出力手段は、前記測定電荷量に対応する保湿成分量を出力することを特徴とするものである。
【００１１】
また、本発明は、上記発明において、前記記憶手段は、対象物の表面の電荷量に関する情報である電荷量情報を各対象物と対応づけて記憶し、前記出力手段は、前記比較手段による比較動作の後、対象物の電荷量情報と、前記記憶手段に記憶された前記対象物に対応する全ての過去の電荷量情報とに基づいて、前記対象物の電荷量情報を時系列で出力することを特徴とするものである。
【００１２】
また、本発明は、対象物の表面の凹凸性に関する情報を出力する表面情報出力装置であって、前記対象物の表面との間で、間隔をもたせるように配置され、所定の電圧がかけられたとき、電荷を蓄積する複数の電極と、各電極に蓄積される電荷量を、各々、電極位置と対応づけて測定する測定手段と、前記測定手段により測定された電荷量である各測定電荷量の分布に基づいて、所定の基準値を算出する第１算出手段と、各測定電荷量と前記所定の基準値との比較結果と、各測定電荷量に対応する電極位置とに基づいて、前記対象物の表面の凹部数を算出する第２算出手段と、前記対象物の表面の標準の凹部数である基準凹部数を記憶する記憶手段と、算出された凹部数と、前記基準凹部数とを比較する比較手段と、前記比較手段による比較結果に基づいて、前記対象物の表面の凹凸性に関する情報を出力する出力手段とを有することを特徴とするものである。
【００１３】
また、本発明は、上記発明において、前記対象物は、人間の皮膚であり、前記人間の皮膚の表面と複数の電極との間の間隔を保持し、人間の皮膚の表面と接触する間隔保持手段を有し、前記記憶手段には、前記間隔保持手段と接触する皮膚表面の凹部数と、ユーザに推奨する皮膚用の化粧品を特定する情報とが対応づけられたテーブルが記憶され、前記出力手段は、前記第２算出手段により算出された凹部数に対応する化粧品を特定する情報を出力することを特徴とするものである。
【００１４】
また、本発明は、上記発明において、前記対象物は、人間の皮膚であり、前記人間の皮膚の表面と複数の電極との間の間隔を保持し、人間の皮膚の表面と接触する間隔保持手段を有し、前記記憶手段には、前記間隔保持手段と接触する皮膚表面の凹部数と、化粧品中における皮膚のきめ細かさを保つ成分量とが対応づけられたテーブルが記憶され、前記出力手段は、前記第２算出手段により算出された凹部数に対応する前記成分量を出力することを特徴とするものである。
【００１５】
また、本発明は、上記発明において、前記記憶手段は、前記対象物の表面の凹凸性に関する情報である凹凸情報を各対象物と対応づけて記憶し、前記出力手段は、前記比較手段による比較動作の後、対象物の凹凸情報と、前記記憶手段に記憶された前記対象物に対応する全ての過去の凹凸情報とに基づいて、前記対象物の凹凸情報を時系列で出力することを特徴とするものである。
【００１６】
【発明の実施の形態】
実施の形態１．
（構成）
図１は、実施の形態１である表面情報出力装置の構成を示す図である。表面情報出力装置は、電源部（図示せず）、電極部１、間隔保持部２、測定部３、記憶部４、比較部５、入力部（図示せず）、出力部６、電圧印加部７、各部を制御する制御部８を有する。
【００１７】
電圧印加部７は、電極部１に対して所定の電圧（例えば、５Ｖ等）を与える。間隔保持部２には、その表面が対象物の表面と接触するように、上記対象物が置かれる。対象物を間隔保持部２に置く場合には、ユーザは、以下のように置く。間隔保持部２と対象物との間の接触面の面積が、電極部１の面積と同等以上であるとともに、電極部１を覆うように、上記ユーザは、対象物を間隔保持部２に置く。そして、図に示すように、間隔保持部２は、所定の間隔の厚さを有し、電極部１と接触するように配置されている。これにより、電極部１は、対象物の表面との間で、所定の間隔をもたせるように配置されることになる。なお、間隔保持部２は絶縁体である。そして、電極部１に、所定の電圧がくわえられたとき、電荷が蓄積される。
【００１８】
本実施の形態では、対象物の一例として、人間の皮膚９について説明する。
【００１９】
測定部３は、電極部１に接続されている。そして、測定部３は、上記電極部１に蓄積される電荷量を測定する。上述した電圧印加部７、測定部３は、具体的には、図２に示すような回路で構成することができる。
【００２０】
電圧印加部７は、例えば、所定の電圧Ｖ０を電極部１に与えるための電源７ａ、スイッチ７ｂ、各部を駆動する駆動部（図示せず）から構成される。測定部３は、スイッチ３ａと、一定値の静電容量Ｃ０を有するコンデンサ３ｂと、電圧値を出力する電圧出力部３ｃと、出力された電圧値と上記所定の電圧Ｖ０と上記静電容量Ｃ０とに基づいて、電極部１に蓄積された電荷量を算出する電荷量算出部３ｄ、各部を駆動する駆動部（図示せず）を有する。
記憶部４には、電極部１に蓄積される電荷量の標準値である基準電荷量が予め記憶される。この基準電荷量の決定の仕方の一例について以下に説明する。表面情報出力装置の開発者や管理者等は、既存の装置を用いて、複数のユーザの皮膚９の水分量や油分量を取得し、導電性が標準と決められている水分量や油分量の皮膚９を持つユーザを決める。なお、管理者等が複数のユーザの皮膚９の表面を顕微鏡等で観察し、導電性が標準といえる皮膚９をもつユーザを決めるようにしてもよい。
【００２１】
そして、以下のようにして、管理者等は、基準電荷量を決める。即ち、上述のようにして決定したユーザの皮膚９が上記間隔保持部２に置かれ、電圧印加部７により所定の電圧が電極部１に加えられたとき、測定部３により測定された電極部１に蓄積される電荷量を基準電荷量と決める。
【００２２】
比較部５は、測定部３により測定された電荷量である測定電荷量と、記憶部４に記憶された基準電荷量を比較し、いずれの電荷量が大きいかについて比較する。
【００２３】
出力部６は、比較部５による比較結果に基づいて、人間の皮膚表面の電荷量に関する情報を出力する。具体的には、以下のようにして出力部６による出力動作が行われる。比較部５は、比較結果を制御部８へ送る。制御部８は、測定電荷量の方が大きい場合には、皮膚表面の導電性が大きいと判断し、その旨を対象物の表面の電荷量に関する情報として、出力部６に送り、出力させる。制御部８は、測定電荷量の方が小さい場合には、皮膚表面の導電性が小さいと判断し、その旨を対象物の表面の電荷量に関する情報として出力部６に送り、出力させる。
【００２４】
また、一般的に、皮膚表面の水分量が多いと、皮膚表面の導電性が高く、皮膚表面の水分量が少ないと、皮膚表面の導電性が低いといえる。そして、導電性と皮膚表面の湿潤性の関係は、図３に示すような関係がある。このため、以下のように出力部６に出力させるようにすることもできる。制御部８は、測定電荷量の方が大きい場合には、皮膚表面の導電性が大きいととともに皮膚表面が潤っていると判断し、その旨を対象物の表面の電荷量に関する情報として出力部６に送り、出力させる。制御部８は、測定電荷量の方が小さい場合には、皮膚表面の導電性が小さいとともに皮膚表面が乾燥していると判断し、その旨を対象物の表面の電荷量に関する情報として出力部６に送り、出力させる。
【００２５】
なお、表面情報出力装置は、センサー部（図示せず）を有する。センサー部は、間隔保持部２に皮膚９が接触した場合には、その旨を検出する。
【００２６】
（原理）
本実施の形態の測定部３による電荷量の測定により、皮膚表面の導電性を判断できる原理について以下に説明する。図４は、その原理を説明するための概念図である。
【００２７】
図４に示すように、皮膚９を間隔保持部２にのせた場合、皮膚９及び電極部１は、以下のようなコンデンサを形成することになる。
【００２８】
人間の皮膚９のどこか（例えば、足の皮膚）は、通常、地面に接触しているので、地面に接触している皮膚は、接地されていることになる。そして、上述したように、人間の皮膚には、導電性がある。このため、間隔保持部２と接触する皮膚表面に電圧を印加することで、皮膚９における間隔保持部２との接触面には、電荷が蓄積される。この結果、皮膚９の間隔保持部２との接触面は、導体であると考えることができ、電荷を蓄えるようにしたものといえる。これにより、図４に示すように、皮膚９の間隔保持部２との接触面と、電極部１との間で、コンデンサＣを形成することになる。その理由を以下に説明する。上記皮膚９の間隔保持部２との接触面と、電極部１は各々導体といえる。そして、上述したように、間隔保持部２は絶縁体であるので、電極部１に電圧を印加すると、電極部１及び上記接触面に電荷が蓄積されるので、上記接触面と、電極部１との間で、コンデンサＣを形成することになる。
【００２９】
次に、電極部１に蓄積される電荷の大小が、皮膚９の表面の導電性の大小に対応する理由について説明する。皮膚９の表面に電荷がない状態で、電極部１に、電圧印加部７による所定の電圧が加えられると、上述したように、皮膚９の間隔保持部２との接触面と、電極部１との間で、コンデンサＣを形成するので、皮膚９における間隔保持部２との接触面には、−Ｑが蓄積され、電極部１には、Ｑが蓄積される。この場合、皮膚９の表面（皮膚９における間隔保持部２との接触面）の導電性が高いと、コンデンサＣの静電容量が大きくなるので、電荷Ｑの値が大きくなる。皮膚９の表面（皮膚９における間隔保持部２との接触面）の導電性が低いと、コンデンサＣの静電容量が小さくなるので、電荷Ｑの値が小さくなる。従って、電極部１に蓄積される電荷の大小が、皮膚９の表面の導電性の大小に対応することになる。この結果、測定された電荷量が大きい場合には、導電性が大きいと判断することが可能である。
【００３０】
なお、以下のようにして、皮膚９の表面の導電性を判断できる原理について考えても良い。皮膚９が間隔保持部２に置かれたとき、皮膚９と電極部１との間の静電容量は、コンデンサモデルを考えて、以下のように表すことができる。
【００３１】
Ｃ＝εＳ／Ｌ．．．．．．（１）
ここで、εは皮膚９と電極部１との間の誘電率、Ｓは、電極部１の面積、Ｌは皮膚９と電極部１との間の距離である。そして、皮膚９の導電性によって、距離Ｌが変化するように考えることもできる。即ち、皮膚９の導電性が高いときには、距離Ｌが小さいと考えることで、静電容量が大きくなり、皮膚９の導電性が低いときには、距離Ｌが大きいと考えることで、静電容量が小さくなるといえる。このようなモデルを用いて、上記コンデンサモデルの静電容量を測定し、測定された静電容量に基づいて、ユーザ等が皮膚９の表面の導電性を判断するようにしてもよい。
【００３２】
（動作）
上述した表面情報出力装置を用いた表面情報出力方法について、以下に説明する。先ず、予め、上述のようにして決定された基準電荷量を、表面情報出力装置の管理者、開発者等が入力部を用いて入力する。基準電荷量は制御部８へ送られる。制御部８は、基準電荷量を記憶部４に記憶させる。
【００３３】
そして、あるユーザＸが表面情報出力装置を用いて、自分の皮膚９の表面情報を出力させる動作について以下に説明する。図５は、上述した表面情報出力装置を用いた表面情報出力方法を説明するためのフローチャート図である。図２及び図５を用いて、表面情報出力方法を説明する。
【００３４】
先ず、ユーザＸは、図示しない電源部のスイッチ等をオンにする。そして、ユーザＸは、自分の皮膚を間隔保持部２に置く（Ｓ１０）。図示しないセンサー部は、間隔保持部２に皮膚が接触した場合には、その旨を検出する。そして、センサー部は、皮膚９が間隔保持部２に置かれた旨を検出し、上記その旨を測定部３、電圧印加部７に通知する。
【００３５】
電圧印加部７は、電極部１に所定の電圧を加える（Ｓ２０）。このステップＳ１０は、図２においては、以下のような動作となる。図示しないセンサー部が、間隔保持部２に皮膚が接触した旨を検出すると、その旨が電圧印加部７の駆動部及び測定部３の駆動部に送られる。電圧印加部７の駆動部は、スイッチ７ｂをオン（閉じる状態）にする。また、測定部３の駆動部は、スイッチ３ａをオフ（開く状態）にする。測定部３の駆動部は、スイッチ３ａオフの旨を制御部８に通知すると、制御部８は、測定部３に対して測定動作を行うように指示するとともに、電圧印加部７に対して、所定の電圧を電極部１に加えるのを停止するように指示する。
【００３６】
なお、制御部８は、出力部６に測定可能状態となった旨を出力させることもできる。そして、ユーザＸが、測定開始指示を入力部により入力すると、その測定開始指示が制御部８に送られる。制御部８は、送られた測定開始指示に基づいて、測定部３に測定を行わせるようにしてもよい。
【００３７】
制御部８から、上記指示を取得した電圧印加部７、測定部３は、以下のような動作を行う。即ち、電圧印加部７は、所定の電圧を電極部１に加えるのを停止する。この時点では、電極部１に蓄えられている電荷量は一定値となっている。その後、測定部３は、電極部１に蓄積されている電荷量を測定する（Ｓ２５）。
【００３８】
このステップＳ２５の動作を、図２に示す構成を用いて以下に説明する。制御部８から上記指示を取得した電圧印加部７の駆動部は、スイッチ７ｂをオフにさせる。また、測定部３の駆動部は、スイッチ３ａをオンにさせる。そして、測定部３の駆動部は、電圧出力部３ｃから出力される電圧値を監視し、上記電圧値が一定値に落ち着いたら、電荷量算出部３ｄに対して、電荷量を算出するように駆動させる。電荷量算出部による算出の仕方を以下に具体的に説明する。
【００３９】
上述したコンデンサの静電容量をＣとすると、電極部１に蓄積される電荷量Ｑは、Ｑ＝ＣＶ０．．．．（２）
と表せる。ここで、Ｖ０は、電圧印加部７が電極部１にくわえる所定の電圧である。そして、電圧印加部７のスイッチ７ｂがオフとなり、測定部３のスイッチ３ａがオンになると、電荷量保存の法則により、以下の式が成立する。
【００４０】
Ｑ＝（Ｃ＋Ｃ０）＊Ｖ．．．．．（３）
ここで、Ｃ０は、コンデンサ３ｂの静電容量である。また、Ｖは、電圧出力部３ｃから出力される電圧値である。
【００４１】
（２）式を用いて、（３）式を展開すると、
Ｃ＝（Ｖ＊Ｃ０）／（Ｖ０−Ｖ）．．．（４）
と表せるので、電極部１に蓄積される電荷量Ｑは、（２）式を用いて、
Ｑ＝（Ｖ＊Ｃ０）＊Ｖ０／（Ｖ０−Ｖ）．．．（５）
と表すことができる。
【００４２】
ここで、電荷量算出部３ｄは、電圧出力部６から出力された電圧値Ｖを取得して、（５）式により、電荷量Ｑを算出することができる。測定部３は、電荷量算出部３ｄにより算出された電荷量を測定電荷量として、比較部５に送る。
【００４３】
比較部５は、記憶部４にアクセスし、基準電荷量を読み出す。そして、比較部５は、測定部３から送られた測定電荷量と、読み出した基準電荷量とを比較し、測定電荷量の方が大きいか否かを判断する（Ｓ３０）。比較結果は、制御部８へ送られる。
【００４４】
制御部８は、測定電荷量の方が大きい場合には、皮膚９の表面の導電性が大きいと判断し、その旨を出力部６に送り、出力させる（Ｓ３５）。制御部８は、測定電荷量の方が小さい場合には、皮膚９の表面の導電性が小さいと判断し、その旨を出力部６に送り、出力させる（Ｓ４０）。
【００４５】
この際、ステップＳ３５では、制御部８は、測定電荷量の方が大きい場合には、皮膚９の導電性が大きいととともに皮膚９が潤っていると判断し、その旨を出力部６に送り、出力させることもできる。また、ステップＳ４０では、制御部８は、測定電荷量の方が小さい場合には、皮膚９の導電性が小さいとともに皮膚９が乾燥していると判断し、その旨を出力部６に送り、出力させることもできる。
【００４６】
なお、本実施の形態では、対象物を人間の皮膚９として説明したが、これに限定されるわけでなく、人間の皮膚９以外の対象物にも適用することも可能である。
【００４７】
（作用効果）
本実施の形態によれば、電極部１は、人間の皮膚等の対象物の表面との間で、所定の間隔をもたせるように配置され、所定の電圧がくわえられたとき、電荷を蓄積する。そして、比較部５は、測定部３により測定された測定電荷量と、記憶部４に記憶された基準電荷量を比較する。そして、出力部６は、比較結果に基づいて、人間の皮膚等の対象物の表面の電荷量に関する情報を出力することができる。
【００４８】
このため、ユーザは、自分の皮膚等の対象物を間隔保持部２に置くだけで、皮膚等の対象物の表面の電荷量に関する情報として、例えば、導電性が大きいか小さいか、乾燥しているか湿っているか等の情報が知ることができる。この結果、専門的な知識や特別な熟練技術を必要としないで、誰でも、手軽に自分の皮膚等の対象物の表面の導電性、湿潤性を判断することが可能となる。
【００４９】
（実施の形態２）
（構成）
図６は、実施の形態２に係る表面情報出力装置の構成を示す図である。本実施の形態において、図１に示す構成と同一構成については同一符号を付してその説明を省略し、異なる点を詳細に説明する。本実施の形態においても、対象物の一例として、人間の皮膚について説明する。
【００５０】
電極部１は、複数の電極１ａを有する。電圧印加部７は、複数の電極１ａに対してそれぞれ所定の電圧（例えば、３．３Ｖ等）を与える。そして、図に示すように、間隔保持部２は、所定の間隔の厚さを有し、電極部１と接触するように配置されている。これにより、複数の電極１ａは、対象物の表面との間で、所定の間隔をもたせるように配置されることになる。そして、電極部１に、所定の電圧がくわえられたとき、電荷が蓄積される。
【００５１】
なお、例えば、各電極１ａ及び後述する各測定センサーは、５０μｍ×５０μｍのサイズにすることができる。そして、複数の電極１ａ、複数の測定センサーは、それぞれ、縦方向及び横方向に２５６個設けることもできる。このようにすることで、１２．８ｍｍ×１２．８ｍｍの領域の複数の電極１ａに蓄積される電荷量を測定部３が測定できることになる。
測定部３は、各電極１ａに接続されている。そして、測定部３は、各電極１ａにそれぞれ蓄積される電荷量を測定する。具体的には、測定部３は、複数の測定センサー（図示せず）を有する。そして、各測定センサーは、各々、電極１ａに接続されており、電極１ａに蓄積された電荷量を測定する。
【００５２】
記憶部４には、上記電荷量の標準値である基準電荷量が予め記憶される。この基準電荷量の決定の仕方の一例について以下に説明する。実施の形態１と同様にして、表面情報出力装置の開発者や管理者等は、導電性が標準と決められている水分量や油分量の皮膚９を持つユーザを決める。
【００５３】
そして、上述のようにして決定したユーザの皮膚９を、上記間隔保持部２に置き、電圧印加部７により所定の電圧を各電極１ａにくわえたときに、算出部１０が、測定部３の各測定センサーにより測定された電荷量の総和を電極数で割った各電荷量の平均値を算出する。これにより、上記管理者等は、この算出された平均値を基準電荷量と決めることができる。
【００５４】
なお、算出部１０は、上述した平均値に限定されず、測定部３により測定された各電荷量の分布を特徴づける値を算出することもできる。そして、上記管理者等は、上記値を基準電荷量と決めることもできる。
【００５５】
また、表面情報出力装置は、算出部１０及び校正部１１を有する。算出部１０は、測定部３の各測定センサーにより測定された電荷量の平均値を、測定電荷量として算出する。なお、算出部１０は、上述した平均値に限定されず、測定部３の各測定センサーにより測定された各電荷量の分布を特徴づける値を測定電荷量として算出することもできる。詳細な動作は後述する。
【００５６】
校正部１１は、測定環境の温度や湿度の違い、測定部３による各測定センサーの測定精度の違いによって生じる測定値のばらつきを校正する。校正部１１は、間隔保持部２に物体が置かれ、各電極１ａに所定の電圧がかけられたとき、各測定センサーにより測定された各電荷量についてのばらつきを補正し、各測定センサーにより測定される電荷量が所定の電荷量の範囲内になるように設定する。そして、校正部１１は、上記物体の抵抗値を種々に変えた場合について、上記ばらつきを補正し、所定の電荷量になるように設定する。
【００５７】
また、校正部１１は、物体の抵抗値と、測定センサー位置と、電荷量及びその誤差範囲と、を対応づけたテーブルを保持している。校正部１１の詳細な動作については後述する。比較部５、出力部６の動作は、実施の形態１と同じである。
【００５８】
（動作）
上述した表面情報出力装置の動作について、以下に説明する。先ず、予め、上述のようにして決定された基準電荷量を、表面情報出力装置の管理者等が入力部を用いて入力する。基準電荷量は制御部８へ送られる。制御部８は、基準電荷量を記憶部４に記憶させる。
【００５９】
（校正動作）
表面情報出力動作の前に、以下のような校正動作が行われる。上記管理者等は、電源部をオンにすると、オンされた情報が電圧印加部７、制御部８に送られる。電圧印加部７は、複数の電極１ａに所定の電圧を加える。
【００６０】
そして、上記管理者又はユーザ等は入力部を用いて、校正動作を行う旨及び物体の抵抗値を入力する。先ず、抵抗値ｒ１の場合について説明する。上記校正動作を行う旨は制御部８へ送られる。抵抗値ｒ１は制御部８を介して校正部１１に送られる。制御部８は、出力部６に、間隔保持部２に物体を置くように指示する旨を出力させる。
【００６１】
図７、図８は、校正部による校正動作を説明するための補足図である。以下、図７、図８を用いて校正動作を説明する。
【００６２】
物体１５としては、例えば、図７に示すように、直方体の形状のものを用いる。そして、間隔保持部２に接触させる面の面積が、複数の電極１ａの面積の総和と同等以上であるとともに、複数の電極１ａを覆うように、上記管理者又はユーザ等は、物体を間隔保持部２に置く。
【００６３】
上記管理者は、図７に示すように、物体１５を間隔保持部２に置くとともに、物体の間隔保持部２に接触していない側を接地させる。これにより、実施の形態１で示したコンデンサＣが形成されることになる。
【００６４】
図示しないセンサー部は、間隔保持部２に物体が接触した場合には、その旨を検出する。そして、センサー部は、上記その旨を測定部３、電圧印加部７に通知する。
【００６５】
電圧印加部７は、所定の電圧を電極部１に加えるのを停止する。その後、測定部３の各測定センサーは、各電極１ａに蓄積されている電荷量をそれぞれ測定する。この際、各測定センサーは、測定した各電荷量を測定センサー位置と対応づけていったん保持する。そして、測定部３は、測定された各電荷量を、測定センサー位置と対応づけて、制御部８を介して校正部１１に送る。
【００６６】
校正部１１は、保持しているテーブルを参照して、上記物体の抵抗値に対応する電荷量（テーブルに記録されている電荷量）及び誤差範囲と、測定された各電荷量との比較を、各測定センサー位置ごとに行う。校正部１１は、テーブルに記録された記録電荷量と、測定された各電荷量とが、一致又は所定の誤差範囲内にあるか否かを判断する。校正部１１は、一致又は誤差範囲内にある場合には、校正の必要なしと判断し、一致又は誤差範囲内にない場合には、校正の必要があると判断する。
【００６７】
校正部１１は、校正の必要があると判断した場合、校正指示情報を制御部８を介して、測定部３に送る。校正指示情報とは、測定された電荷量と記録された電荷量との比較結果や、測定センサー位置である。
【００６８】
測定部３は、校正部１１から送られた情報に基づいて、校正指示がされた測定センサーに対して、測定精度を変更するように設定する。
【００６９】
具体的には、抵抗値ｒ１の物体に対して、テーブルに記録された電荷量がＱ２の場合には、測定部３は、抵抗値ｒ１の物体が間隔保持部２に置かれた場合、測定センサー１が測定する電荷量Ｑ１を、電荷量Ｑ２を測定電荷量とするように設定する。
【００７０】
なお、校正部１１は、測定部３の各測定センサーの測定精度を変更させる代わりに以下のようにして校正することもできる。図９に示すように、校正部１１は、各電極１ａに各々接続された校正回路１１ｂを有する。この校正回路１１ｂとしては、例えば、可変コンデンサを用いて構成することができる。そして、校正部１１は、校正の必要があると判断した測定センサーの測定について、テーブルに記録された電荷量から所定の誤差範囲にあるように、校正回路１１ｂを設定する。具体的には、校正部１１は、可変コンデンサの容量を変化させる等により校正回路１１ｂを設定する。
【００７１】
そして、１回目の校正動作が終了した場合には、その旨が制御部８を介して、出力部６に出力される。上記管理者等は、間隔保持部２に抵抗値が別の値（例えば、抵抗値ｒ２）の物体１５を置く。そして、上述の校正動作と同様にして校正動作が行われる。
【００７２】
このような校正部１１による校正動作が行われる前は、図８に示すように測定センサー１により測定される電荷量と、測定センサー２により測定される電荷量とは、抵抗値ｒ１、ｒ２の物体１５が、同じように間隔保持部２に接触されているにもかかわらず、ばらつきがあったが、校正後は、図８に示すように、ばらつきをなくすことができる。
【００７３】
なお、本実施の形態では、校正部１１は、２回校正動作を行っているが、これに限定されず、複数回校正動作を行い、測定センサー間の測定ばらつきをより少なくするようにしてもよい。また、同じ物体１５を用いて、複数回の校正動作を行っても、測定される電荷量が、テーブルに記録された電荷量と所定の誤差範囲内にならないときには、校正部１１は、上記電荷量を測定した測定センサーに対して、測定動作を行わせない旨を制御部８を介して測定部３に送る。測定部３は、上記測定センサーに対して、測定動作を行わないように設定する。
【００７４】
なお、各測定センサーに対して、静電容量が変化する１種類又は２種類の素材を接触させることにより、各測定センサーが静電容量を測定し、測定された静電容量に基づいて、校正部１１が静電容量の校正動作を行うようにすることも可能である。
【００７５】
（表面情報出力方法）
あるユーザＸが表面情報出力装置を用いて、自分の皮膚の表面情報を出力させる動作について以下に説明する。図１０は、上述した表面情報出力装置を用いた表面情報出力方法を説明するためのフローチャート図である。なお、図において、実施の形態１と同一動作については、その説明を省略又は簡略化し、異なる点を詳細に説明する。
【００７６】
先ず、ユーザＸは、図示しない電源部のスイッチ等をオンにする。そして、ユーザＸは、自分の皮膚を間隔保持部２に置く（Ｓ１００）。この際、ユーザＸは、以下のように皮膚９を間隔保持部２に置く。間隔保持部２に接触させる面の面積が、複数の電極１ａの面積と同等以上であるとともに、複数の電極１ａを覆うように、ユーザＸは、皮膚９を間隔保持部２に置く。
【００７７】
図示しないセンサー部は、間隔保持部２に皮膚が接触した場合には、その旨を検出する。そして、センサー部は、皮膚９が間隔保持部２に置かれた旨を検出し、上記その旨を測定部３、電圧印加部７に通知する。
【００７８】
電圧印加部７は、複数の電極１ａに所定の電圧を加える（Ｓ１１０）。その後、制御部８は、測定部３に対して、測定動作を行うように指示するとともに、電圧印加部７に対して、所定の電圧を複数の電極１ａに加えることを停止するように指示する。
【００７９】
制御部８から上記指示を取得した電圧印加部７は、所定の電圧を各電極１ａに加えるのを停止する。その後、制御部８から上記指示を取得した測定部３は、電極部１に蓄積されている電荷量を測定する（Ｓ１２５）。
【００８０】
測定部３は、各測定センサーが測定した電荷量を、測定センサー位置情報とともに、算出部１０に送る。算出部１０は、送られた各電荷量の総和を算出する。そして、算出部１０は、送られた測定センサー位置情報の数に基づいて、測定センサーの数を算出し、測定対象の電極１ａの数を算出する。そして、算出部１０は、算出した各電荷量の総和を、測定対象の電極１ａの数で割った平均電荷量を測定電荷量として算出する（Ｓ１３０）。算出部１０は、電荷量算出部１０により算出された電荷量を測定電荷量として、比較部５に送る。
【００８１】
以降の動作は、ステップＳ３０以降の動作と同じである。本実施の形態においても、実施の形態１と同じ効果を有する。なお、本実施の形態では、対象物を人間の皮膚９として説明したが、これに限定されるわけでなく、人間の皮膚９以外の対象物にも適用することも可能である。
【００８２】
（適用例）
上述のようにして構成された表面情報出力装置２０の形状の一例を図１１に示す。図に示すように、間接保持部２及び複数の電極１ａを電荷量センサー２０ａとすることができる。また、表面情報出力装置２０の形状は、図に示すように、プローブ形状をステック状とすることができる。ステック状にすることにより、電荷量センサー２０ａが皮膚９と接触しやすいようにすることが可能となる。この電荷量センサー２０ａは、円柱形態に巻き付けて、皮膚９に接触しやすくすることもできる。また、半導体式の電荷量センサー２０ａの場合には、裏面を研磨することで、薄くすることが可能である。薄くなった半導体を円柱状の台座の側面部分に貼り付けることで、曲げながら強度を増すことができる。また、電荷量センサー２０ａは、皮膚９と接触しやすいように球状又はだ円状の形状にすることも可能である。
【００８３】
また、図１１に示すように、表面情報出力装置２０に電源部を設けないで、電源を供給する電源供給部と接続された信号ケーブル２０ｂを、電圧印加部７に接続することで、電圧印加部７は、所定の電圧を電極部１に加えることができるようにしてもよい。
【００８４】
なお、表面情報出力装置２０は、ＵＳＢ等でパソコンに接続されており、表面情報出力装置の電源は、パソコンから供給するようにしてもよい。また、算出部による算出処理等、各部による計算処理は、パソコンに行わせるようにもできる。
【００８５】
（実施の形態１，２の変形例１）
なお、算出部１０は、以下のようにして測定電荷量を算出することもできる。算出部１０は、測定部３から各電荷量が送られると、各電荷量を所定数の階調値に変換する。具体的には、算出部１０は、各電荷量に対して、測定した電荷量が電荷量Ｘ１〜Ｘ２の範囲にあれば、階調値１、測定した電荷量が電荷量Ｘ２〜Ｘ３の範囲にあれば、階調値２．．．のようにして変換する。例えば、算出部１０は、測定された各電荷量を２５６階調値に変換することも可能である。
【００８６】
そして、算出部１０は、測定した各電荷量を階調値に変換した後、階調値に対応する測定対象の電極１ａの数（又は測定センサーの数）を示す分布曲線を算出する。算出部１０により算出された分布曲線の一例を図１２に示す。そして、算出部１０は、算出した分布曲線に基づいて、階調値の平均値又は階調値のピーク値を測定電荷量（階調値）として算出することもできる。
【００８７】
この場合、記憶部４に記憶されている基準電荷量は、上述の階調値で示されている。なお、上述の場合と同様にして、実施の形態１の制御部８も測定部３により測定された電荷量を階調値に変換することができる。
【００８８】
（実施の形態１，２の変形例２）
記憶部４に記憶される基準電荷量は、以下のようにして決めることもできる。表面情報出力装置の開発者や管理者等は、複数のユーザの皮膚９の水分量や油分量を取得し、導電性が最高であるユーザＹを決める。
【００８９】
そして、上述のようにして決定したユーザＹの皮膚９を、上記間隔保持部２に置き、電圧印加部７により所定の電圧を電極部１にくわえたときに、算出部１０により算出された（又は実施の形態１なら測定部３により測定された）測定電荷量を基準電荷量と決めることができる。そして、比較部５は、測定電荷量と基準電荷量との差の値と、ランクとを対応づけたテーブルを保持している。
【００９０】
そして、比較部５は、測定電荷量と、基準電荷量とを比較し、保持しているテーブルを参照して、測定電荷量と基準電荷量との差の値に対応するランクを制御部８を介して出力部６に出力させるようにしてもよい。
【００９１】
なお、基準電荷量は、導電性が最低のユーザの皮膚９を用いて測定又は算出された測定電荷量としてもよい。
【００９２】
また、皮膚９に比べ、導電性が高い物体（水分を相当多く含む物体）、導電性が低い物体を用いて、上記間隔保持部２にのせ、電圧印加部７により所定の電圧が電極部１にくわえられたときに、測定部３により算出された（又は算出部１０により算出された）測定電荷量をそれぞれ基準電荷量１、基準電荷量２とすることも可能である。
【００９３】
そして、比較部５は、基準電荷量１と基準電荷量２の間の値を、例えば、１０段階でランクづけしたテーブルを保持している。具体的には、上記テーブルでは、基準電荷量Ｘ１からＸ２までの電荷量の範囲では、ランク１、電荷量Ｘ２からＸ３までの電荷量では、ランク２．．．のように記録されている。
【００９４】
そして、比較部５は、テーブルに記録された各ランクに対応する電荷量の範囲と、測定電荷量を比較し、測定電荷量がどのランクに対応しているかを判断するようにしてもよい。そして、出力部６は、判断されたランクを出力するようにしてもよい。
【００９５】
（実施の形態１、実施の形態２の変形例３）
上述した記憶部４に、電極部１又は電極１ａに蓄積される電荷量の値に応じて決められた皮膚９の湿潤度を表すランクが記憶されるようにすることもできる。
【００９６】
具体的には、記憶部４に、電荷量の範囲と、ランクとが対応づけられたテーブルが記憶されている。そして、実施の形態１なら測定部３により測定された測定電荷量、実施の形態２なら算出部１０により算出された測定電荷量が制御部８に送られる。制御部８は、記憶部４から上記テーブルを読み出し、上記テーブルを参照して、測定電荷量に対応するランクを取得する。そして、制御部８は、取得したランクを出力部６に送る。出力部６は、電荷量に関する情報ともに、上記取得したランクを出力することもできる。
【００９７】
（実施の形態１，２の変形例４）
また、出力部６による電荷量のランク出力は、以下のようにすることもできる。本変形例に係る表面情報出力装置は、統計処理部（図示せず）及びランク付け部（図示せず）を有する。統計処理部は、複数のユーザの測定電荷量に基づいて、電荷量の平均値、ピーク値、標準偏差値を算出する。そして、算出された各値は、ランク付け部に送られる。
【００９８】
ランク付け部は、送られた各値に基づいて、電荷量のランク付けを行う。ランク付け部は、例えば、ピーク値に対して標準偏差値σの範囲にある電荷量をランク１，ピーク値に対して、σから２σの範囲にある電荷量をランク２．．．．のようにランク付けすることもできる。
【００９９】
そして、ランク付け部は、各電荷量範囲と、ランクとの対応関係を示すテーブルを生成し、制御部８へ送る。制御部８は、上記テーブルを記憶部４に記憶させる。なお、新たなユーザにより測定電荷量が入力された場合には、上述の動作が行われる。
【０１００】
そして、測定部３により測定された測定電荷量又は算出部１０により算出された測定電荷量が制御部８へ送られると、制御部８は、記憶部４にアクセスし、上記テーブルを読み出す。そして、制御部８は、上記テーブルを参照して、測定電荷量に対応するランクを取得する。そして、制御部８は、取得したランクを出力部６に送る。出力部６には、人間の皮膚９の電荷量に関する情報のほか、ランクを出力することも可能である。
【０１０１】
なお、以下のようにしてランク付けを行っても良い。統計処理部は、複数のユーザの電荷量に基づいて、電荷量値に対するユーザ数を示す分布曲線を算出する。そして、統計処理部は、電荷量値の多い順から、上記複数のユーザ数の１０％に相当するユーザ数ごとに、対応する電荷量範囲を算出し、ランク付け部に送る。ランク付け部は、算出された各電荷量範囲と、１０段階のランクを対応づけたテーブルを生成する。このテーブルが記憶部４に記憶されるようにして、出力部６により１０段階のランクを出力するようにしてもよい。なお、上記１０％、１０段階は、一例である。
【０１０２】
（実施の形態１、２の変形例５）
また、表面情報出力装置は、化粧品に関する情報を出力することができる。
【０１０３】
表面情報出力装置の記憶部４には、電極部１又は電極１ａに蓄積される電荷量と、ユーザに推奨する皮膚用の化粧品を特定する情報とが対応づけられた化粧品テーブルが記憶されている。
【０１０４】
この化粧品テーブルとしては、例えば、皮膚表面の電荷量の範囲と、ユーザに推奨する皮膚用の化粧品を特定する情報とが対応づけられたものがある。具体的には、電荷量（Ｘ１〜Ｘ２）に対しては、化粧品Ａ、電荷量（Ｘ２〜Ｘ３）に対しては、化粧品Ｂ．．．のように対応づけられている。化粧品テーブルにおいて、例えば、皮膚表面の電荷量の範囲と、ユーザに推奨する皮膚用の化粧品を特定する情報との対応を１０段階に分けることができる。
【０１０５】
ここで、電荷量が多いほど、皮膚表面の導電性が高く、皮膚９が潤っており、電荷量が少ないほど、皮膚表面の導電性が低く、皮膚９が乾燥しているといえる。このため、化粧品Ａ、化粧品Ｂは、皮膚９の湿潤性を保つ成分量が異なっているといえる。出力部６は、測定電荷量に対応する化粧品を特定する情報を出力することができる。
【０１０６】
（動作）
変形例５の表面情報出力装置の動作を、図５に示すフローチャート図を用いて説明する。なお、実施の形態１と同一処理は、その説明を省略する。
【０１０７】
ステップＳ１０からＳ３０の後、制御部８は、記憶部４から上記化粧品テーブルを読み出し、測定電荷量に対応する化粧品を特定する情報（ユーザに推奨する化粧品を特定する情報）を取得する。そして、制御部８は、測定電荷量に対応する化粧品を特定する情報を出力部６に送る。
【０１０８】
ステップＳ３５又はステップＳ４０では、制御部８は、出力部６に対して、皮膚９の電荷量に関する情報を出力させるとともに、測定電荷量に対応する化粧品を特定する情報を出力させる。
【０１０９】
また、実施の形態２のステップＳ１００からＳ１３０、Ｓ３０の後、本変形例を上述のようにして適用することができる。
【０１１０】
変形例５によれば、出力部６により、測定電荷量に対応する化粧品を特定する情報（ユーザに推奨する化粧品を特定する情報）が出力されるので、ユーザは、自分の皮膚表面の湿潤性にあった化粧品を選定することができる。
【０１１１】
（実施の形態１，２の変形例６）
変形例６の記憶部４には、電極部１又は電極１ａに蓄積される電荷量と、化粧品中の保湿成分量とが対応づけられた成分量テーブルが記憶されている。この成分量テーブルとしては、例えば、電荷量の範囲と、上記成分量とが対応づけられたものがある。具体的には、電荷量（Ｘ１〜Ｘ２）に対しては、成分量Ｙ１、電荷量（Ｘ２〜Ｘ３）に対しては、成分量Ｙ２．．．のように対応づけられている。出力部６は、測定電荷量に対応する保湿成分量を出力する。
【０１１２】
（動作）
変形例６の表面情報出力装置の動作を、図５に示すフローチャート図を用いて説明する。なお、実施の形態１と同一処理は、その説明を省略する。
【０１１３】
ステップＳ１０からＳ３０の後、制御部８は、記憶部４から成分量テーブルを読み出し、測定電荷量に対応する保湿成分量を取得する。そして、制御部８は、測定電荷量に対応する保湿成分量を出力部６に送る。
【０１１４】
ステップＳ３５又はステップＳ４０では、制御部８は、出力部６に対して、皮膚９の電荷量に関する情報を出力させるとともに、測定電荷量に対応する保湿成分量を出力させる。
【０１１５】
また、実施の形態２のステップＳ１００からＳ１３０、Ｓ３０の後、本変形例を上述のようにして適用することができる。
【０１１６】
本変形例によれば、出力部６により、測定電荷量に対応する保湿成分量が出力される。このため、例えば、ユーザが自分の皮膚９の湿潤性に合わせて、化粧品の使用量を決めることができる。また、２種以上の混合が可能な化粧品に対しては、ユーザが２種以上の化粧品を混合して、自分の皮膚９の湿潤性に合った化粧品を作成したい場合、出力された保湿成分量に基づいて、各化粧品を混合する割合を決めることができる。
【０１１７】
なお、皮膚表面の電荷量が所定数の階調値に変換されている場合についても本変形例が同様に適用できる。
【０１１８】
（実施の形態１，２の変形例７）
変形例７の記憶部４は、対象物の表面の電荷量に関する情報である電荷量情報を各対象物と対応づけて記憶する。そして、出力部６は、比較部５による比較動作の後、対象物の電荷量情報と、記憶部４に記憶された上記対象物に対応する全ての過去の電荷量情報とに基づいて、上記対象物の電荷量情報を時系列で出力する。
【０１１９】
なお、制御部８は、時間を計測するカウンタ部（図示せず）を有する。上記対象物については、人間の皮膚９を例にして説明する。
【０１２０】
（動作）
本変形例の表面情報出力装置の動作を、図５に示すフローチャート図を用いて説明する。なお、実施の形態１と同一処理は、その説明を省略する。
【０１２１】
（１）先ず、記憶部４にユーザの電荷量情報が記憶されていない場合の動作を以下に説明する。
【０１２２】
ユーザは、ステップＳ１０において、入力部を用いて、ユーザを識別するユーザ識別情報を入力する。入力されたユーザ識別情報は、制御部８へ送られ、保持される。その後、ステップＳ２０からＳ３０の処理が行われる。そして、ステップＳ３５又はステップＳ４０では、制御部８は、出力部６に対して、皮膚９の電荷量に関する情報を出力させるとともに、記憶部４に対して、皮膚９の電荷量に関する情報を、保持しているユーザ識別情報と対応づけて記憶させる。この際、制御部８は、カウンタ部により計測された時間情報も皮膚９の電荷量に関する情報に対応づけて記憶させる。
【０１２３】
（２）次に、記憶部４にユーザの電荷量情報が複数記憶された場合の動作を以下に説明する。
【０１２４】
上述した記憶部４に、皮膚９の電荷量に関する情報が、ユーザ識別情報及び時間情報と対応づけられて記憶された後、以下の動作が行われる。
【０１２５】
制御部８は、記憶部４にアクセスし、上記ユーザのユーザ識別情報に対応する皮膚９の電荷量に関する情報を全て読み出す。そして、制御部８は、時間情報に基づいて、皮膚９の電荷量に関する情報を、過去から現在へとソート処理を行う。そして、制御部８は、ソートされた皮膚９の電荷量に関する情報を出力部６に送る。出力部６では、時系列にソートされた皮膚９の電荷量に関する情報が出力される。
【０１２６】
例えば、電荷量に関する情報として、湿潤性を示すランクとし、ランクの推移を出力部６が出力するようにもできる。
【０１２７】
本変形例によれば、各ユーザの現在の皮膚９の電荷量に関する情報だけでなく、過去の皮膚９の電荷量に関する情報が、時系列で出力される。このため、ユーザは、自分の皮膚９の湿潤性がどのような傾向にあるのか知ることができる。
【０１２８】
なお、実施の形態２についても本変形例の適用が可能である。この場合、上述の（１）の動作において、ステップＳ１０を、ステップＳ１００に置き換え、ステップＳ２０からＳ３０を、ステップＳ１１０からＳ１３０、Ｓ３０と置き換える。
【０１２９】
実施の形態３．
上述した実施の形態１，２では、皮膚９に凹部がなく、皮膚９が間隔保持部２に完全に接触する場合について考えたが、実際の皮膚９においては、しわや毛穴等の凹部が存在する。本実施の形態では、間隔保持部２に接触された皮膚表面の凹部数を算出して、皮膚表面の凹凸性に関する情報を出力する場合について説明する。
【０１３０】
（構成）
図１３は、実施の形態３である表面情報出力装置の構成を示す図である。図において、実施の形態２である表面情報出力装置の構成と同一構成については、同一符号を付してその説明を省略し、異なる点を詳細に説明する。
【０１３１】
電圧印加部７は、複数の電極１ａに対して所定の電圧（例えば、３．３Ｖ等）を与える。そして、複数の電極１ａは、対象物の表面との間で、間隔をもたせるように配置される。但し、実施の形態３では、対象物の表面には、凹部があるので、各電極１ａと対象物との間の間隔は、電極間で同一とは限らないとする。
【０１３２】
測定部３の各測定センサーは、それぞれ、各電極１ａに蓄積される電荷量を、電極位置と対応づけて、測定する。そして、測定部３は、測定結果を算出部３０へ送る。
【０１３３】
算出部３０は、測定部３により測定された各測定電荷量の分布に基づいて、所定の基準値を算出する第１算出機能を有する。算出部３０は、測定部３から送られた各測定電荷量及び対応する電極位置に基づいて、電極位置に対する電荷量を示す分布を算出する。後述するように、測定センサーにより測定される電荷量は、電極１ａに対向する間隔保持部２の部分に皮膚９が接触されているか否かによって、２極化する。このため、算出された分布は、２極化することになる。
【０１３４】
算出部３０は、上記分布に基づいて、例えば、各測定電荷量を２値化できるような所定の基準値を算出する。例えば、算出部３０は、２極化された電荷値に対して、一方の電荷値と他方の電荷値との平均値を所定の基準値として算出することができる。
【０１３５】
そして、算出部３０は、各測定電荷量と所定の基準値との比較結果と、各測定電荷量に対応する電極位置とに基づいて、間隔保持部２に接触された所定の面積の皮膚９の表面の凹部数を算出する第２算出機能を有する。算出部３０による具体的な動作の一例を以下に説明する。
【０１３６】
算出部３０は、算出した所定の基準値と、各測定電荷量とを比較し、測定電荷量の方が大きい場合には、プラスと判断し、測定電荷量の方が小さい場合には、マイナスと判断する（算出部３０による各測定電荷量の２値化処理）。そして、算出部３０は、全ての測定電荷量に対して上述の判断動作を行い、判断結果を電極位置と対応づけて保持する。
【０１３７】
そして、算出部３０は、マイナスという情報が対応づけられている電極位置が、相互に隣接して一定数以上存在する場合には、マイナス数情報に基づいて、凹部であるか否かを判断してから凹部数を算出する。上記マイナス数情報とは、凹部であるか否かを算出部が判断するためのものであり、マイナス情報が対応づけられている電極位置の縦方向の所定数、横方向の所定数から構成される。例えば、マイナスという情報が対応づけられている電極位置が、相互に隣接して一定数以上存在する場合、縦方向の数、横方向の数が各々、マイナス数情報の所定数を超えている場合には、算出部は、凹部が１つあると判断する。
【０１３８】
記憶部４には、間隔保持部２に皮膚が接触している面積の皮膚表面における標準の凹部数である基準凹部数が記憶されている。この基準凹部数の決定の仕方の一例について以下に説明する。実施の形態１と同様にして、表面情報出力装置の開発者や管理者等は、既存の装置、例えば、顕微鏡等を用いて、皮膚９の表面の凹凸性が標準であるユーザを決める。
【０１３９】
そして、決定したユーザの皮膚９が、上記間隔保持部２上に置かれる。この際、皮膚９を間隔保持部２に置く場合には、ユーザは、以下のように皮膚９を間隔保持部２に置く。間隔保持部２に接触させる皮膚面の面積が、複数の電極部１の面積と同等以上であるとともに、複数の電極部１を覆うように、上記ユーザは、皮膚９を間隔保持部２に置く。そして、電圧印加部７により所定の電圧が各電極１ａにくわえられたときに、算出部３０により算出された凹部数を基準凹部数と上記管理者等は、決めることができる。
【０１４０】
比較部５は、算出された凹部数と、基準凹部数とを比較する。そして、出力部６は、比較部５による比較結果に基づいて、人間の皮膚表面の凹凸性に関する情報を出力する。具体的には、以下のようにして出力部６による出力動作が行われる。比較部５は、比較結果を制御部８へ送る。制御部８は、算出された凹部数の方が大きい場合には、皮膚表面の凹凸性が大きいと判断し、その旨を出力部６に送り、出力させる。制御部８は、算出された凹部数の方が小さい場合には、皮膚表面の凹凸性が小さいと判断し、その旨を出力部６に送り、出力させる。
【０１４１】
校正部１１は、皮膚表面と間隔保持部２との間の距離と、測定センサー位置と、電荷量及び誤差範囲とを対応づけたテーブルを保持している。校正部１１の詳細な動作については後述する。
【０１４２】
（原理）
本実施の形態の測定部３による測定により、皮膚９の表面の凹部数を算出できる原理について以下に説明する。皮膚９を間隔保持部２に置いた場合、皮膚９及び電極部１は、実施の形態１で説明したようなコンデンサＣを形成することになる。
【０１４３】
ここで、皮膚９を間隔保持部２に置いた場合でも、皮膚９の表面には、凹凸性があるので、ある電極１ａと対向する間隔保持部２上には、皮膚９が接触している場合もあれば、皮膚９と間隔保持部２との間にすき間（空気）が存在する場合もある。
【０１４４】
ある電極１ａと対向する間隔保持部２上に、皮膚９が接触している場合には、実施の形態１で示す上記皮膚９の間隔保持部２との接触面と、電極１ａとの間でコンデンサＣが形成されたと考えられる。
【０１４５】
一方、皮膚９と間隔保持部２との間にすき間（空気）が存在する場合において、上記皮膚９の表面と、電極１ａとの間でコンデンサＣ２が形成されると考える場合には、コンデンサの静電容量は、皮膚９が間隔保持部２に接触している場合に比べ、相当低くなると考えることが出来る。これは、間隔保持部２とすき間（空気）とが直列接続された合成容量となるためである。
【０１４６】
この結果，以下のことがいえる。ある電極１ａと対向する間隔保持部２上に、皮膚９が接触している場合に、上記電極１ａに所定の電圧が加えられたとき、電極１ａに蓄積される電荷量をＱ１とする。そして、ある電極１ａと対向する間隔保持部２と皮膚９との間に空気が存在する場合に，上記電極１ａに所定の電圧が加えられたとき、電極１ａに蓄積される電荷量をＱ２とする。このときは、Ｑ１が蓄積されるコンデンサの方が、Ｑ２が蓄積されるコンデンサより、静電容量がかなり大きいので、Ｑ１＞＞Ｑ２となる。
【０１４７】
例えば、図１４に示すように、電極１ａ，１ｂ，１ｃに各々所定の電圧が加えられ、電極１ａ，１ｂに対向する間隔保持部２の部分には、皮膚９が接触され、電極１ｃに対向する間隔保持部２の部分には、皮膚９が接触していない場合には、電極１ａ，１ｂに蓄積される電荷量に比べて、電極１ｃに蓄積される電荷量はかなり小さくなる。
【０１４８】
従って、各電極１ａに蓄積される電荷量の値が２極化されている場合であって、電極１ａに蓄積される電荷量がかなり小さい場合には、電極１ａと対向する間隔保持部２に皮膚９が接触していないといえる。この結果、皮膚９が接触していない電極１ａの位置を調べることにより、皮膚表面の凹部数を算出することができる。
【０１４９】
（動作）
上述した表面情報出力装置を用いた動作について、以下に説明する。先ず、予め、上述のようにして決定された基準凹部数を、表面情報出力装置の管理者等が入力部を用いて入力する。基準凹部数は制御部８へ送られる。制御部８は、基準電荷量凹部数を記憶部４に記憶させる。
【０１５０】
（校正動作）
また、上記管理者等は、電源部をオンにした後、入力部を用いて、校正動作を行う旨、皮膚表面と間隔保持部２との間の距離を入力する。上記校正動作を行う旨は制御部８へ送られる。上記距離は制御部８を介して校正部１１に送られる。制御部８は、出力部６に、間隔保持部２に物体を置くように指示する旨を出力させる。
【０１５１】
なお、物体としては、例えば、図１５に示すような形状のものを用いる。即ち、物体１５の表面と、間隔保持部２との間に所定のすき間（図では、距離ｄ１、ｄ２）ができるような形状である。
【０１５２】
上記管理者は、物体１５を間隔保持部２に置くとともに、物体の間隔保持部２に対向していない側を接地させる。
図示しないセンサー部は、間隔保持部２に物体が接触した場合には、その旨を検出する。そして、センサー部は、上記その旨を検出し、測定部３、電圧印加部７に通知する。
【０１５３】
電圧印加部７は、所定の電圧を各電極１ａに加えるのを停止する。そして、測定部３の各測定センサーは、各電極１ａに蓄積されている電荷量をそれぞれ測定する。この際、各測定センサーは、測定した各電荷量を電極位置と対応づけていったん保持する。そして、測定部３は、各電荷量を、測定センサー位置と対応づけて、制御部８を介して校正部１１に送る。
【０１５４】
校正部１１は、保持しているテーブルを参照して、上記距離に対応する電荷量及び誤差範囲と、測定部３により測定された各電荷量との比較を、各電極位置ごとに行う。校正部１１は、テーブルに記録された記録電荷量と、測定された各電荷量とが、一致又は誤差範囲内にあるか否かを判断する。校正部１１は、一致又は誤差範囲内にある場合には、校正の必要なしと判断し、一致又は誤差範囲内にない場合には、校正の必要があると判断する。
【０１５５】
以降の動作は、抵抗値を、皮膚表面と間隔保持部２との間の距離に置き換えた場合における実施の形態２の場合の校正動作と同じである。校正部１１による校正動作は、種々の距離（図１５のｄ１、ｄ２等）に対して行われる。
【０１５６】
このような校正部１１による校正動作が行われる前は、図１６に示すように測定センサー１により測定される電荷量と、測定センサー２により測定される電荷量とは、同じ距離（皮膚表面と間隔保持部２との間の距離）の物体が間隔保持部２に接触されているにもかかわらず、ばらつきがあったが、校正後は、図１６に示すように、ばらつきをなくすことができる。
図１７は、上述した表面情報出力装置を用いた表面情報出力方法を説明するためのフローチャート図である。なお、図において、実施の形態２と同一動作については、その説明を省略又は簡略化する。
【０１５７】
先ず、ユーザＸは、図示しない電源部のスイッチ等をオンにする。そして、ユーザＸは、自分の皮膚を間隔保持部２に置く（Ｓ２００）。この際、ユーザＸは、以下のように皮膚９を間隔保持部２に置く。間隔保持部２に接触させる面の面積が、複数の電極１ａの面積と同等以上であるとともに、複数の電極１ａを覆うように、ユーザＸは、皮膚９を間隔保持部２に置く。
【０１５８】
図示しないセンサー部は、間隔保持部２に皮膚が接触した場合には、その旨を検出する。そして、センサー部は、皮膚９が間隔保持部２に置かれた旨を検出し、上記その旨を測定部３、電圧印加部７に通知する。
【０１５９】
電圧印加部７は、複数の電極１ａに所定の電圧を加える（Ｓ２１０）。その後、制御部８は、測定部３に対して、測定動作を行うように指示するとともに、電圧印加部７に対して、所定の電圧を複数の電極１ａに加えることを停止するように指示する。
【０１６０】
制御部８から上記指示を取得した電圧印加部７は、所定の電圧を各電極１ａに加えるのを停止する。その後、制御部８から上記指示を取得した測定部３は、電極部１に蓄積されている電荷量を測定する（Ｓ２２５）。測定部３は、測定した各電荷量を、電極位置情報とともに、算出部３０に送る。
【０１６１】
算出部３０は、測定部３により測定された各測定電荷量の分布に基づいて、所定の基準値を算出する（Ｓ２３０）。
【０１６２】
そして、算出部３０は、各測定電荷量と所定の基準値との比較結果と、各測定電荷量に対応する電極位置とに基づいて、皮膚９の表面の凹部数を算出する（Ｓ２４０）。算出部３０は、算出された凹部数を制御部８へ送る。制御部８は、記憶部４から基準凹部数を読み出し、基準凹部数及び算出された凹部数を比較部５へ送る。
【０１６３】
比較部５は、算出された凹部数と、前記基準凹部数とを比較し、算出された凹部数の方が大きいか否かを比較する（Ｓ２５０）。そして、比較部５は、比較結果を制御部８へ送る。制御部８は、算出された凹部数の方が大きい場合には、皮膚表面の凹凸性が大きいと判断し、その旨を出力部６に送り、出力させる（Ｓ２５５）。制御部８は、算出された凹部数の方が小さい場合には、皮膚表面の凹凸性が小さいと判断し、その旨を出力部６に送り、出力させる（Ｓ２６０）。
【０１６４】
なお、本実施の形態では、対象物を人間の皮膚９として説明したが、これに限定されるわけでなく、人間の皮膚９以外の対象物にも適用することも可能である。
【０１６５】
（作用効果）
本実施の形態によれば、複数の電極１ａは、皮膚表面との間で、間隔をもたせるように配置され、所定の電圧がかけられたとき、電荷を蓄積する。そして、測定部３は、各電極１ａに蓄積される電荷量を、各々、電極位置と対応づけて、測定する。そして、算出部３０は、測定部３により測定された各測定電荷量の分布に基づいて、所定の基準値を算出するとともに、各測定電荷量と所定の基準値との比較結果と、各測定電荷量に対応する電極位置とに基づいて、皮膚表面の凹部数を算出する。そして、比較部５は、算出された凹部数と、記憶部４に記憶された基準凹部数とを比較する。比較部５による比較結果に基づいて、出力部６は、皮膚表面の凹凸性に関する情報を出力することができる。
【０１６６】
このため、ユーザは、従来技術のように、皮膚表面の凹凸性に関して、専門的な知識や高度な技能を有しなくとも、単に皮膚表面を間隔保持部２にのせるだけで、皮膚表面の凹凸性の判断ができる。従って、専門的な知識や特別な熟練技術を必要としないで、誰でも、手軽に皮膚表面の凹凸性を判断することが可能となる。
【０１６７】
なお、算出部３０は、以下のようにして、皮膚９の表面の凹部数を算出してもよい。算出部３０は、２極化している電荷量のうち小さい方の電荷量が等しい曲線（電極位置上における等電荷量曲線）を算出するようにしてもよい。そして、算出部３０は、算出した等電荷量曲線に基づいて、曲線で囲まれた部分を凹部と判断して、凹部数を算出するようにしてもよい。また、上記曲線を出力部６に出力させて、出力結果に基づいて、ユーザが凹部数を判断し、皮膚９のきめ細かさを判断するようにしてもよい。
【０１６８】
また、算出部３０は、マイナスと算出した電極位置に基づいて、図１８に示すようなマイナスと算出した電極位置の分布図を算出することもできる。そして、算出部３０により算出された上記分布図を制御部８を介して出力部６に出力させるようにしてもよい。図１８においては、一例として、マイナスと算出された電極位置は黒色の表示となっている。これにより、ユーザは、例えば、図１８において、細長い黒線はしわと判断でき、小さな黒点は、毛穴と判断できる。
【０１６９】
また、実施の形態３の表面情報出力装置は、実施の形態２の表面情報出力装置の機能を兼ね備えることも可能である。
【０１７０】
（実施の形態３の変形例１）
実施の形態３では、皮膚表面の凹部数について算出するようにし、皮膚表面の凹凸性に関する情報を出力するようにしていたが、皮膚表面の凹部としては、毛穴やしわの場合がある。このため、算出部３０による凹部数をしわ数と毛穴数に分けて算出することも可能である。
この場合、記憶部４には、基準しわ数と、基準毛穴数とが記憶される必要がある。また、算出部３０は、毛穴についてのマイナス数情報と、しわについてのマイナス数情報を保持する必要がある。そして、算出部３０は、皮膚表面の凹部数について、保持しているマイナス数情報を参照して、しわ数と、毛穴数とにわけて算出する。そして、出力部６は、毛穴数に関する情報、しわ数に関する情報を分けて出力する。
【０１７１】
（実施の形態３の変形例２）
上述した記憶部４には、間隔保持部２に接触された人間の皮膚９の表面の凹部数に応じて決められた皮膚９の凹凸性を表すランクが記憶されるようにすることもできる。具体的には、記憶部４に、凹部数の範囲と、ランクとが対応づけられたテーブルが記憶されている。そして、算出部３０により算出された凹部数は、制御部８へ送られる。制御部８は、記憶部４から上記テーブルを読み出し、上記テーブルを参照して、算出部３０により算出された凹部数に対応するランクを取得する。そして、制御部８は、取得したランクを出力部６に送る。出力部６は、人間の皮膚９の表面の凹凸性に関する情報を出力するとともに、上記ランクを出力することも可能である。
【０１７２】
また、実施の形態１，２の変形例１のように、例えば、算出部３０が、測定電荷量を所定数の階調値に変換することも可能である。この場合にも、実施の形態３の適用が可能である。
【０１７３】
（実施の形態３の変形例３）
また、出力部６による凹部数のランク出力は、以下のようにすることもできる。変形例３に係る表面情報出力装置は、統計処理部（図示せず）及びランク付け部（図示せず）を有する。統計処理部は、複数のユーザの皮膚表面の凹部数に基づいて、凹部数の平均値、ピーク値、標準偏差値を算出する。そして、算出された各値は、ランク付け部に送られる。
【０１７４】
ランク付け部は、送られた各値に基づいて、凹部数のランク付けを行う。ランク付け部は、例えば、ピーク値に対して標準偏差値σの範囲にある凹部数をランク１，ピーク値に対して、σから２σの範囲にある凹部数をランク２．．．．のようにランク付けすることもできる。
【０１７５】
そして、ランク付け部は、各凹部数範囲と、ランクとの対応関係を示すテーブルを生成し、制御部８へ送る。制御部８は、上記テーブルを記憶部４に記憶させる。なお、新たなユーザにより凹部数が入力された場合には、上述の動作が行われる。
【０１７６】
そして、算出部３０により算出された凹部数が制御部８へ送られると、制御部８は、記憶部４にアクセスし、上記テーブルを読み出す。そして、制御部８は、上記テーブルを参照して、算出された凹部数に対応するランクを取得する。そして、制御部８は、取得したランクを出力部６に送る。出力部６には、人間の皮膚９の凹凸性に関する情報のほか、ランクを出力することも可能である。
【０１７７】
なお、以下のようにしてランク付けを行っても良い。統計処理部は、複数のユーザの凹部数に基づいて、凹部数値に対するユーザ数を示す分布曲線を算出する。そして、統計処理部は、凹部数値の多い順から、上記複数のユーザ数の１０％に相当するユーザ数ごとに、対応する凹部数範囲を算出し、ランク付け部に送る。ランク付け部は、算出された各凹部数範囲と、１０段階のランクを対応づけたテーブルを生成する。このテーブルが記憶部４に記憶されるようにして、出力部６により１０段階のランクを出力するようにしてもよい。なお、上記１０％、１０段階は、一例である。
（実施の形態３の変形例４）
また、表面情報出力装置は、化粧品に関する情報を出力することができる。上述したように、間隔保持部２は、人間の皮膚９の表面と複数の電極との間の間隔を保持し、人間の皮膚９を接触させるためのものである。そして、記憶部４には、間隔保持部２に接触される人間の皮膚９の表面の凹部数と、ユーザに推奨する皮膚９用の化粧品を特定する情報とが対応づけられた化粧品テーブルが記憶されている。
【０１７８】
この化粧品テーブルとしては、例えば、皮膚表面の凹部数の範囲と、ユーザに推奨する皮膚用の化粧品を特定する情報とが対応づけられたものがある。具体的には、凹部数（Ｘ１〜Ｘ２）に対しては、化粧品Ａ、凹部数（Ｘ２〜Ｘ３）に対しては、化粧品Ｂ．．．のように対応づけられている。化粧品テーブルにおいて、例えば、皮膚表面の凹部数の範囲と、ユーザに推奨する皮膚９用の化粧品を特定する情報との対応を１０段階に分けることができる。
【０１７９】
ここで、皮膚表面の凹部数が多いほど皮膚９が荒く、皮膚表面の凹部数が少ないほど、皮膚９がきめ細かいといえる。このため、化粧品Ａ、化粧品Ｂは、皮膚９のきめ細かさを保つ成分量が異なっているといえる。
【０１８０】
出力部６は、算出部３０により算出された凹部数に対応する化粧品を特定する情報（ユーザに推奨する皮膚用化粧品を特定する情報）を出力する。
【０１８１】
（動作）
変形例４の表面情報出力装置の動作を、図１７に示すフローチャート図を用いて説明する。なお、実施の形態３と同一処理は、その説明を省略する。
【０１８２】
ステップＳ２００からＳ２４０の後、算出部３０により算出された凹部数が送られた制御部８は、記憶部４から化粧品テーブルを読み出す。そして、制御部８は、化粧品テーブルを参照して、算出された凹部数に対応する化粧品を特定する情報（ユーザに推奨する皮膚用化粧品を特定する情報）を取得する。そして、制御部８は、上記化粧品を特定する情報を出力部６に送る。この際、ステップＳ２５０の動作も行われる。そして、出力部６は、皮膚表面の凹凸性に関する情報とともに、算出された凹部数に対応する化粧品を特定する情報（ユーザに推奨する皮膚用化粧品を特定する情報）を出力する。
【０１８３】
本変形例によれば、出力部６により、算出された凹部数に対応する化粧品を特定する情報（ユーザに推奨する皮膚用化粧品を特定する情報）が出力されるので、ユーザは、自分の皮膚９の表面の凹凸性にあった化粧品を選定することができる。
【０１８４】
（実施の形態３の変形例５）
変形例５の記憶部４には、間隔保持部２に接触される人間の皮膚９の表面の凹部数と、化粧品中における皮膚９のきめ細かさを保つ成分量とが対応づけられた成分量テーブルが記憶されている。
【０１８５】
この成分量テーブルとしては、例えば、皮膚表面の凹部数の範囲と、上記成分量とが対応づけられたものがある。具体的には、凹部数（Ｘ１〜Ｘ２）に対しては、成分量Ｙ１、凹部数（Ｘ２〜Ｘ３）に対しては、成分量Ｙ２．．．のように対応づけられている。出力部６は、算出部３０により算出された凹部数に対応する上記成分量を出力する。
【０１８６】
（動作）
本変形例の表面情報出力装置の動作を、図１７に示すフローチャート図を用いて説明する。なお、実施の形態３と同一処理は、その説明を省略する。
【０１８７】
ステップＳ２００からＳ２４０の後、算出部３０により算出された凹部数が送られた制御部８は、記憶部４から成分量テーブルを読み出す。そして、制御部８は、上記テーブルを参照して、算出された凹部数に対応する上記成分量を取得する。そして、制御部８は、上記成分量を出力部６に送る。この際、ステップＳ２５０の動作も行われる。そして、出力部６は、皮膚表面の凹凸性に関する情報とともに、算出された凹部数に対応する上記成分量を出力する。
【０１８８】
本変形例によれば、出力部６により、算出された凹部数に対応するきめ細かさを保つ成分量が出力される。このため、例えば、ユーザが自分の皮膚９の凹凸性に合わせて、化粧品の使用量を決めることができる。また、２種以上の混合が可能な化粧品に対しては、ユーザが２種以上の化粧品を混合して、自分の皮膚９の凹凸性に合った化粧品を作成したい場合、出力された成分量に基づいて、各化粧品を混合する割合を決めることができる。
【０１８９】
なお、測定電荷量が所定数の階調値に変換されている場合についても、本変形例が同様に適用できる。
【０１９０】
（実施の形態３の変形例６）
変形例６の記憶部４は、対象物の表面の凹凸性に関する情報である凹凸性情報を各対象物と対応づけて記憶する。そして、出力部６は、比較部５による比較動作の後、対象物の凹凸性情報と、記憶部４に記憶された上記対象物に対応する全ての過去の凹凸性情報とに基づいて、上記対象物の凹凸性情報を時系列で出力する。
【０１９１】
なお、制御部８は、時間を計測するカウンタ部（図示せず）を有する。上記対象物については、人間の皮膚９を例にして説明する。
【０１９２】
（動作）
本変形例の表面情報出力装置の動作を、図１７に示すフローチャート図を用いて説明する。なお、実施の形態３と同一処理は、その説明を省略する。
【０１９３】
（１）先ず、記憶部４にユーザの凹凸性情報が記憶されていない場合の動作を以下に説明する。
【０１９４】
ユーザは、ステップ２００において、入力部を用いて、ユーザを識別するユーザ識別情報を入力する。入力されたユーザ識別情報は、制御部８へ送られ、保持される。その後、ステップＳ２１０からＳ２５０の処理が行われる。そして、ステップＳ２５５又はＳ２６０では、制御部８は、出力部６に対して、皮膚９の凹凸性に関する情報を出力させるとともに、記憶部４に対して、皮膚９の凹凸性に関する情報を、保持しているユーザ識別情報と対応づけて記憶させる。この際、制御部８は、カウンタ部により計測された時間情報も皮膚９の凹凸性に関する情報に対応づけて記憶させる。
【０１９５】
（２）次に、記憶部４にユーザの凹凸性情報が複数記憶された場合の動作を以下に説明する。
【０１９６】
上述した記憶部４に、皮膚表面の凹凸性に関する情報が、ユーザ識別情報及び時間情報と対応づけられて記憶された後、以下の動作が行われる。
【０１９７】
制御部８は、記憶部４にアクセスし、上記ユーザのユーザ識別情報に対応する皮膚９の凹凸性に関する情報を読み出す。そして、制御部８は、時間情報に基づいて、皮膚９の凹凸性に関する情報を、過去から現在へとソート処理を行う。そして、制御部８は、ソートされた皮膚９の凹凸性に関する情報を出力部６に送る。出力部６では、時系列にソートされた皮膚９の凹凸性に関する情報が出力される。
【０１９８】
例えば、凹凸性に関する情報として、皮膚のきめ細かさを示すランクとし、制御部８は、上記ランクの推移を出力部６に出力させるようにすることもできる。
【０１９９】
本変形例によれば、各ユーザの現在の皮膚９の凹凸性に関する情報だけでなく、過去の皮膚９の凹凸性に関する情報が、時系列で出力される。このため、ユーザは、自分の皮膚９の凹凸性がどのような傾向にあるのか知ることができる。
【０２００】
【発明の効果】
以上説明したように、本発明によれば、専門的な知識や特別な熟練技術を必要としないで、誰でも、手軽に自分の皮膚等の対象物の表面状態（例えば、皮膚表面の導電性、凹凸性）を判断することが可能となる。
【図面の簡単な説明】
【図１】実施の形態１の表面情報出力装置の構成を示す図である。
【図２】実施の形態１の電圧印加部、測定部の回路を示す図である。
【図３】実施の形態１における皮膚の導電性と、皮膚の湿潤性との関係を示す図である。
【図４】実施の形態１の原理を説明するための概念図である。
【図５】実施の形態１の表面情報出力装置を用いた動作を説明するためのフローチャート図である。
【図６】実施の形態２の表面情報出力装置の構成を示す図である。
【図７】実施の形態２の校正動作を説明するための補足図である。
【図８】実施の形態２の校正動作を説明するための補足図である。
【図９】実施の形態２の校正部が有する校正回路を示す図である。
【図１０】実施の形態２の表面情報出力装置を用いた動作を説明するためのフローチャート図である。
【図１１】本発明の表面情報出力装置の形状の一例を示す図である。
【図１２】実施の形態１，２の変形例１の算出部１０により算出された分布曲線の一例を示す図である。
【図１３】実施の形態３の表面情報出力装置の構成を示す図である。
【図１４】実施の形態３の原理を説明するための補足図である。
【図１５】実施の形態３の校正動作を説明するための補足図である。
【図１６】実施の形態３の校正動作を説明するための補足図である。
【図１７】実施の形態３の表面情報出力装置を用いた動作を説明するためのフローチャート図である。
【図１８】実施の形態３の算出部により算出された電極位置の分布図を示す図である。
【符号の説明】
１　電極部
１ａ　電極
２　間隔保持部
３　測定部
３ａ　スイッチ
３ｂ　コンデンサ
３ｃ　電圧出力部
３ｄ　電荷量算出部
４　記憶部
５　比較部
６　出力部
７　電圧印加部
７ａ　電源
７ｂ　スイッチ
８　制御部
９　皮膚
１０，３０　算出部
１１　校正部
１１ｂ　校正回路
１５　物体
２０　表面情報出力装置
２０ａ　電荷量センサー
２０ｂ　信号ケーブル
【図１】
2004049406.tif 000003
【図２】
2004049406.tif 000004
【図３】
2004049406.tif 000005
【図４】
2004049406.tif 000006
【図５】
2004049406.tif 000007
【図６】
2004049406.tif 000008
【図７】
2004049406.tif 000009
【図８】
2004049406.tif 000010
【図９】
2004049406.tif 000011
【図１０】
2004049406.tif 000012
【図１１】
2004049406.tif 000013
【図１２】
2004049406.tif 000014
【図１３】
2004049406.tif 000015
【図１４】
2004049406.tif 000016
【図１５】
2004049406.tif 000017
【図１６】
2004049406.tif 000018
【図１７】
2004049406.tif 000019
【図１８】
2004049406.tif 000020